(57)【要約】【課題】蒸気排出装置では、炊飯器、湯沸かし器のように使用電力が異なる二種類の蒸気発生器具を収納部の左右に収納し、収納部に設けた電源コンセントに差し込み使用されるが、電源コンセントは、炊飯器用コンセントと湯沸かし器用コンセントとして指定されているのが一般的であり、使用者はそれを記憶するか使用前に確認する必要がある。本発明は左右いずれのコンセントに炊飯器と湯沸かし器を接続して同時通電させた場合、炊飯器での炊き上げ途中に家庭のブレーカが遮断状態になることを避けるものである。【解決手段】第１第２いずれのコンセントに炊飯器と湯沸かし器が接続されているかを検出し、炊飯器と湯沸かし器が同時使用された場合、炊飯器での炊き上げ途中に家庭のブレーカが遮断する電流状態となったことを速やかに検出して、湯沸かし器の電源を遮断し、炊飯器の通電は継続することにより、炊き上げ不良が生じないように制御する技術である。【選択図】図２
2009077933.tif 000002
【特許請求の範囲】
【請求項１】
使用電力が異なる二種類の蒸気発生器具が収納設置される収納部と、前記二種類の蒸気
発生器具から発生する蒸気を前記収納部に開口した蒸気吸い込み口から吸い込んで蒸気排
出口から前記収納部外へ排出する蒸気排出ファンと、前記収納部に設けられた第１電源コ
ンセントと、前記収納部に設けられた第２電源コンセントと、前記第１電源コンセントを
流れる電流を検出する第１電流検出部と、前記第２電源コンセントを流れる電流を検出す
る第２電流検出部と、前記第１電源コンセントの電力ラインを遮断する第１電流遮断器と
、前記第２電源コンセントの電力ラインを遮断する第２電流遮断器と、前記第１電流検出
部及び前記第２電流検出部の検知に基づき動作する制御部とを備え、前記二種類の蒸気発
生器具の両方が前記第１及び第２電源コンセントのいずれかにそれぞれ接続された状態で
、前記制御部は、前記第１電流検出部及び前記第２電流検出部の検出に基づき第１及び第
２電源コンセントのいずれに前記二種類の一方の蒸気発生器具が接続されいずれに前記二
種類の他方の蒸気発生器具が接続されているかを判別すると共に、前記第１電流検出部及
び前記第２電流検出部の検出に基づく電力が家屋に設置したブレーカが遮断動作するとき
の電流以上またはそれを超えるとき、前記一方の蒸気発生器具の電力供給ラインは残して
前記他方の蒸気発生器具の電力供給ラインを遮断するように、前記第１電流遮断器と前記
第２電流遮断器のいずれか一方を作動させることを特徴とする蒸気排出装置。
【請求項２】
湯沸かし器及び炊飯器が収納設置される収納部と、前記湯沸かし器及び炊飯器から発生
する蒸気を前記収納部に開口した蒸気吸い込み口から吸い込んで蒸気排出口から前記収納
部外へ排出する蒸気排出ファンと、前記収納部に設けられた第１電源コンセントと、前記
収納部に設けられた第２電源コンセントと、前記第１電源コンセントを流れる電流を検出
する第１電流検出部と、前記第２電源コンセントを流れる電流を検出する第２電流検出部
と、前記第１電源コンセントの電力ラインを遮断する第１電流遮断器と、前記第２電源コ
ンセントの電力ラインを遮断する第２電流遮断器と、前記第１電流検出部及び前記第２電
流検出部の検知に基づき動作する制御部とを備え、前記炊飯器と湯沸かし器の両方が前記
第１及び第２電源コンセントのいずれかにそれぞれ接続された状態で、前記制御部は、前
記第１電流検出部及び前記第２電流検出部の検出に基づき第１及び第２電源コンセントの
いずれに湯沸かし器が接続されいずれに炊飯器が接続されているかを判別すると共に、前
記第１電流検出部及び前記第２電流検出部の検出に基づく電力が家屋に設置したブレーカ
が遮断動作するときの電流以上またはそれを超えるとき、前記炊飯器の電力供給ラインは
残して前記湯沸かし器の電力供給ラインを遮断するように、前記第１電流遮断器と前記第
２電流遮断器のいずれか一方を作動させることを特徴とする蒸気排出装置。
【発明の詳細な説明】
【技術分野】
【０００１】
本発明は、収納部へ炊飯器、湯沸かし器等の蒸気発生を伴う器具を収納して使用するよ
うに構成した蒸気排出装置に関する。
【背景技術】
【０００２】
収納部へ蒸気発生を伴う調理器具を収納して使用するように構成した収納庫において、
収納部内の左側に炊飯器、右側に電気保温ポットが設置されて通電使用されるものがあり
、収納部内の天井面の左側と右側には、それぞれ上方へ窪んだ凹状空間があり、この左側
の凹状空間には正方形環状の蒸気吸込口が形成され、右側の凹状空間には長方形環状の蒸
気吸込口が形成され、これら蒸気吸込口の上方にはそれぞれ吸込み口８ａ、８ｂを形成し
た三角形状のダクトが配置され、このダクトの前端部に単一の遠心式送風機が配置され、
送風機の運転によって各蒸気吸込口から吸い込んだ蒸気が、各吸込み口８ａ、８ｂからダ
クトへ吸い込まれ、前面の蒸気排気口から排出されるものがある。（特許文献１参照）。
【特許文献１】特開２００７−１９５７６４号公報
【発明の開示】
【発明が解決しようとする課題】
【０００３】
この種の蒸気排出装置では、炊飯器、湯沸かし器等のように、使用電力が異なる二種類
の蒸気発生器具を収納部の左右に収納し、収納部に設けたそれぞれの電源コンセントに差
し込んで使用されるが、この電源コンセントは、炊飯器用コンセントと、湯沸かし器用コ
ンセントとして指定されているのが一般的である。このため、使用者は、それを記憶する
か、使用前に確認する必要があり面倒である。
【０００４】
本発明はこのような点に鑑み、左右いずれの位置にも炊飯器と湯沸かし器を収納可能と
し、且ついずれのコンセントに炊飯器と湯沸かし器を接続してもよいようにするために、
いずれのコンセントに炊飯器と湯沸かし器が接続されているかを検出するようにする。そ
して、炊飯器と湯沸かし器が同時使用された場合、炊飯器での炊き上げ途中に家庭のブレ
ーカが遮断する状態になったときは、炊き上げ不良となるが、本発明は、ブレーカが遮断
する電流状態となったことを速やかに検出して、湯沸かし器の電源を遮断して、炊飯器の
通電は継続することにより、炊き上げ不良が生じないように制御する技術を提供するもの
である。
【課題を解決するための手段】
【０００５】
第１発明の蒸気排出装置は、使用電力が異なる二種類の蒸気発生器具が収納設置される
収納部と、前記二種類の蒸気発生器具から発生する蒸気を前記収納部に開口した蒸気吸い
込み口から吸い込んで蒸気排出口から前記収納部外へ排出する蒸気排出ファンと、前記収
納部に設けられた第１電源コンセントと、前記収納部に設けられた第２電源コンセントと
、前記第１電源コンセントを流れる電流を検出する第１電流検出部と、前記第２電源コン
セントを流れる電流を検出する第２電流検出部と、前記第１電源コンセントの電力ライン
を遮断する第１電流遮断器と、前記第２電源コンセントの電力ラインを遮断する第２電流
遮断器と、前記第１電流検出部及び前記第２電流検出部の検知に基づき動作する制御部と
を備え、前記二種類の蒸気発生器具の両方が前記第１及び第２電源コンセントのいずれか
にそれぞれ接続された状態で、前記制御部は、前記第１電流検出部及び前記第２電流検出
部の検出に基づき第１及び第２電源コンセントのいずれに前記二種類の一方の蒸気発生器
具が接続されいずれに前記二種類の他方の蒸気発生器具が接続されているかを判別すると
共に、前記第１電流検出部及び前記第２電流検出部の検出に基づく電力が家屋に設置した
ブレーカが遮断動作するときの電流以上またはそれを超えるとき、前記一方の蒸気発生器
具の電力供給ラインは残して前記他方の蒸気発生器具の電力供給ラインを遮断するように
、前記第１電流遮断器と前記第２電流遮断器のいずれか一方を作動させることを特徴とす
る。
【０００６】
第２発明の蒸気排出装置は、湯沸かし器及び炊飯器が収納設置される収納部と、前記湯
沸かし器及び炊飯器から発生する蒸気を前記収納部に開口した蒸気吸い込み口から吸い込
んで蒸気排出口から前記収納部外へ排出する蒸気排出ファンと、前記収納部に設けられた
第１電源コンセントと、前記収納部に設けられた第２電源コンセントと、前記第１電源コ
ンセントを流れる電流を検出する第１電流検出部と、前記第２電源コンセントを流れる電
流を検出する第２電流検出部と、前記第１電源コンセントの電力ラインを遮断する第１電
流遮断器と、前記第２電源コンセントの電力ラインを遮断する第２電流遮断器と、前記第
１電流検出部及び前記第２電流検出部の検知に基づき動作する制御部とを備え、前記炊飯
器と湯沸かし器の両方が前記第１及び第２電源コンセントのいずれかにそれぞれ接続され
た状態で、前記制御部は、前記第１電流検出部及び前記第２電流検出部の検出に基づき第
１及び第２電源コンセントのいずれに湯沸かし器が接続されいずれに炊飯器が接続されて
いるかを判別すると共に、前記第１電流検出部及び前記第２電流検出部の検出に基づく電
力が家屋に設置したブレーカが遮断動作するときの電流以上またはそれを超えるとき、前
記炊飯器の電力供給ラインは残して前記湯沸かし器の電力供給ラインを遮断するように、
前記第１電流遮断器と前記第２電流遮断器のいずれか一方を作動させることを特徴とする
。
【発明の効果】
【０００７】
第１発明は、左右いずれの位置にも使用電力が異なる二種類の蒸気発生器具を収納可能
とし、且つ第１及び第２電源コンセントのいずれに二種類の一方の蒸気発生器具が接続さ
れいずれに二種類の他方の蒸気発生器具が接続されているかを判別し、ブレーカが遮断す
る電流状態となったことを速やかに検出して、一方の蒸気発生器具の電力供給ラインは残
して他方の蒸気発生器具の電力供給ラインを遮断するようにするため、通電途中で電力供
給を断ったら困る器具の救済ができるものとなり、蒸気排出装置の使用性が向上すると共
に、安全稼動ができるものとなる。
【０００８】
第２発明は、左右いずれの位置にも炊飯器と湯沸かし器を収納可能とし、且ついずれの
コンセントに炊飯器と湯沸かし器を接続してもよいようにするために、いずれのコンセン
トに炊飯器と湯沸かし器が接続されているかを検出するようにする。そして、炊飯器と湯
沸かし器が同時使用された場合、炊飯器での炊き上げ途中に家庭のブレーカが遮断する状
態になったときは、炊き上げ不良となるが、本発明は、ブレーカが遮断する電流状態とな
ったことを速やかに検出して、湯沸かし器の電源を遮断して、炊飯器の通電は継続するこ
とにより、炊き上げ不良が生じないように制御できる。このため、蒸気排出装置の使用性
が向上すると共に、安全稼動ができるものとなる。
【発明を実施するための最良の形態】
【０００９】
本発明の蒸気排出装置は、使用電力が異なる二種類の蒸気発生器具が収納設置される収
納部と、前記二種類の蒸気発生器具から発生する蒸気を前記収納部に開口した蒸気吸い込
み口から吸い込んで蒸気排出口から前記収納部外へ排出する蒸気排出ファンと、前記収納
部に設けられた第１電源コンセントと、前記収納部に設けられた第２電源コンセントと、
前記第１電源コンセントを流れる電流を検出する第１電流検出部と、前記第２電源コンセ
ントを流れる電流を検出する第２電流検出部と、前記第１電源コンセントの電力ラインを
遮断する第１電流遮断器と、前記第２電源コンセントの電力ラインを遮断する第２電流遮
断器と、前記第１電流検出部及び前記第２電流検出部の検知に基づき動作する制御部とを
備え、前記二種類の蒸気発生器具の両方が前記第１及び第２電源コンセントのいずれかに
それぞれ接続された状態で、前記制御部は、前記第１電流検出部及び前記第２電流検出部
の検出に基づき第１及び第２電源コンセントのいずれに前記二種類の一方の蒸気発生器具
が接続されいずれに前記二種類の他方の蒸気発生器具が接続されているかを判別すると共
に、前記第１電流検出部及び前記第２電流検出部の検出に基づく電力が家屋に設置したブ
レーカが遮断動作するときの電流以上またはそれを超えるとき、前記一方の蒸気発生器具
の電力供給ラインは残して前記他方の蒸気発生器具の電力供給ラインを遮断するように、
前記第１電流遮断器と前記第２電流遮断器のいずれか一方を作動させるものであり、本発
明の実施例を以下に記載する。
【実施例１】
【００１０】
本発明の実施形態について説明する。図１は本発明に係る蒸気排出装置の正面斜視図、
図２は本発明に係る蒸気排出装置の制御回路図である。
【００１１】
これらの図において、１は本発明の蒸気排出装置を示しており、蒸気排出装置１の機体
２は、炊飯器、湯沸かし器等の蒸気発生器具が左右に収納設置される前面開口の収納部（
収納室）３を備え、収納部（収納室）３の上部に位置するように、機体２の上部に蒸気排
出ユニットＪＵが取り付けられている。蒸気排出ユニットＪＵは、収納部（収納室）３の
天井部を形成するように機体２に取り付けらており、その前面に化粧パネル４が設けられ
ている。蒸気排出ユニットＪＵは、上面等の外壁を形成する外殻板５１と収納部（収納室
）３の天井面を形成する天井板５との間に、各種ダクト及び蒸気排出ファン９を備えた蒸
気排出通路８を形成し、収納部（収納室）３内の蒸気を収納部（収納室）３の天井面に形
成した蒸気吸い込み口６から吸い込み、この蒸気排出通路８を通して化粧パネル４に形成
した蒸気排出口７から収納部（収納室）３外へ排出する構成である。また収納部（収納室
）３内の壁（図では背壁面）には、炊飯器や湯沸かし器等の蒸気発生を伴う器具１１の電
源用として電源コンセント１０が取り付けられている。実施例では、使用電力が異なる二
種類の蒸気発生器具として、湯沸かし器１１Ａと湯沸かし器１１Ａに比して使用電力が大
きい炊飯器１１Ｂを示しており、そのため、電源コンセント１０は、左右に第１電源コン
セント（差し込み口）１０Ａと、第２電源コンセント（差し込み口）１０Ｂを有する二口
用の電源コンセント１０を採用している。
【００１２】
化粧パネル４内にはマイクロコンピュータ式の制御部１２が収納され、化粧パネル４の
前面には操作パネル１３があり、操作パネル１３には、蒸気排出装置１の電源の入／切（
ＯＮ／ＯＦＦ）スイッチ部１４と、動作モード選択スイッチ部１５と、自動標準モードの
表示部１６と、自動長時間モードの表示部１７と、手動モードの表示部１８と、優先動作
モードの表示部１９と、これらの下方に動作状態を表示する横長のインジケータ２０が設
けられている。各表示部１６、１７、１８、１９はそれぞれ１個のＬＥＤの点灯で表示さ
れる構成であり、インジケータ２０は、複数のＬＥＤが直線状に横一列に配置された構成
である。これらのスイッチ部１４、１５、及び各表示部１６、１７、１８、１９、及びイ
ンジケータ２０は、それぞれ制御部１２に電気的に接続され、蒸気排出ファン９も制御部
１２に電気的に接続されている。
【００１３】
図２において、２１は電力会社から家屋へ供給される家屋用電源であり、２２は家屋に
設けられたブレーカである。２３Ａは第１電源コンセント１０Ａに接続された蒸気発生器
具１１Ａの通電回路に接続された第１電流遮断器（リレー）であり、制御部１２によって
通電が制御される。２３Ｂは第２電源コンセント１０Ｂに接続された蒸気発生器具１１Ｂ
の通電回路に接続された第２電流遮断器（リレー）であり、制御部１２によって通電が制
御される。２４Ａは第１電源コンセント１０Ａに接続された蒸気発生器具１１Ａの電流を
検出する第１電流検知器、２４Ｂは第２電源コンセント１０Ｂに接続された蒸気発生器具
１１Ｂの電流を検出する第２電流検知器である。この電流検知器２４Ａは、蒸気発生を伴
う器具１１Ａの電流が１次側コイル２４Ａ１を流れ、この電流によって２次側コイル２４
Ａ２に生じる電流または電圧が制御部１２に入力されて、制御部１２が動作する。電流検
知器２４Ｂは、蒸気発生を伴う器具１１Ｂの電流が１次側コイル２４Ｂ１を流れ、この電
流によって２次側コイル２４Ｂ２に生じる電流または電圧が制御部１２に入力されて、制
御部１２が動作する。蒸気排出装置１への電源供給は、電源プラグ２５Ｂをコンセント２
５Ａに差し込むことにより得られる。
【００１４】
このような構成において、電源プラグ２５Ｂを家屋内のコンセント２５Ａに差し込んだ
状態で、蒸気排出装置１に電源が供給された状態となり、電源コンセント１０へ電力が供
給された状態である。この状態で、電源コンセント１０の第１差し込み口１０Ａへ湯沸か
し器１１Ａの電源プラグを差し込み、第２差し込み口１０Ｂへ炊飯器１１Ｂの電源プラグ
を差し込み、それらに備えられたスタートスイッチがＯＮされた状態において、電源の入
／切（ＯＮ／ＯＦＦ）スイッチ部１４を押す操作によってそのスイッチがＯＮし、その信
号が制御部１２へ入力され、自動標準モードの表示部１６のＬＥＤが点灯する。
【００１５】
この状態で湯沸かし器１１Ａと炊飯器１１Ｂへ通電され、湯沸かし器１１Ａの沸き上げ
終了及び炊飯器１１Ｂの炊き上げ終了までは、湯沸かし器１１Ａと炊飯器１１Ｂへは大き
な電流が流れる状態であり、これをそれぞれの電流検知器２４Ａ、２４Ｂが検知し、制御
部１２の動作によって電動機が始動し蒸気排出ファン９が高速運転状態となる。湯沸かし
器１１Ａの沸き上げ終了及び炊飯器１１Ｂの炊き上げ終了まで、制御部１２の動作によっ
てこの状態が継続し、発生する多くの蒸気を良好に排出する。
【００１６】
そして、湯沸かし器１１Ａの沸き上げ終了にて保温状態になり、電源コンセント１０Ａ
の電力が低下し、電流検知器２４Ａの１次側コイル２４Ａ１を流れる電流が減少するため
、この電流によって２次側コイル２４Ａ２に生じる電流または電圧が減少し、これが制御
部１２に入力される。また、炊飯器１１Ｂの炊き上げ終了にて保温状態になり、電源コン
セント１０Ｂの電力が低下し、電流検知器２４Ｂの１次側コイル２４Ｂ１を流れる電流が
減少するため、この電流によって２次側コイル２４Ｂ２に生じる電流または電圧が減少し
、これが制御部１２に入力される。このように、湯沸かし器１１Ａが沸き上げ終了にて保
温状態になり、且つ炊飯器１１Ｂが炊き上げ終了にて保温状態になると、制御部１２によ
って電動機による蒸気排出ファン９の回転を低速回転状態に切り替えられる。制御部１２
によってこの低速回転状態を所定時間継続した後、電動機の運転を停止して蒸気排出ファ
ン９の運転を停止する。なお、動作モードは動作モード選択スイッチ部１５の操作によっ
て設定された動作モードを選択して、動作させることができる。
【００１７】
収納部（収納室）３内の左側に湯沸かし器１１Ａを収納して電源コンセント１０の差し
込み口１０Ａへ湯沸かし器１１Ａの電源プラグが差し込み、収納部（収納室）３内の右側
に炊飯器１１Ｂを収納して差し込み口１０Ｂへ炊飯器１１Ｂの電源プラグが差し込み、そ
れらのスタートスイッチをＯＮし、電源の入／切（ＯＮ／ＯＦＦ）スイッチ部１４をＯＮ
操作することにより、湯沸かし器１１Ａと炊飯器１１Ｂが通電状態にあるとき、何らかの
原因により、電源コンセント１０を流れる電流が増大し、ブレーカ２２を流れる電流が所
定値オーバー状態となってブレーカ２２が遮断動作すれば、炊飯器１１Ｂでの炊き上げ途
中に中断し、炊き上がらずに所謂ブチ飯となることが懸念される。
【００１８】
制御部１２は、電流検知器２４Ａ、２４Ｂの検知に基づき、電源コンセント１０Ａ、１
０Ｂのいずれに大きな電力消費の蒸気発生器具１１が接続されているかを判別手段（判別
回路）１２Ａによって判別する。このため、電源コンセント１０Ａに湯沸かし器１１Ａが
接続され、電源コンセント１０Ｂに湯沸かし器１１Ａよりも電力消費の大きい炊飯器１１
Ｂが接続されている状態において、同時に湯沸かし器１１Ａの沸き上げと炊飯器１１Ｂの
炊き上げが開始されたとき、電流検知器２４Ａ、２４Ｂの検知に基づき、判別手段（判別
回路）１２Ａによって電源コンセント１０Ｂに炊飯器１１Ｂが接続されていることが判別
されている。
【００１９】
この状態において、電源コンセント１０の電力、即ち電源コンセント１０に接続された
湯沸かし器１１Ａと炊飯器１１Ｂとの総合電力が所定の上限値（ブレーカ２２が遮断動作
するための最低電流値に相当する単位がワットの電力であり、実施例では１４８０Ｗ）未
満または以下である場合であり、インジケータ２０の表示の一つとして、インジケータ２
０のＬＥＤを第１発光状態（例えば連続発光状態）とする。電流検知器２４Ａ、２４Ｂに
て検出した電流（または電圧）に基づき算出した電力が電源コンセント１０の電力であり
、この電力が所定の上限値（実施例では１４８０Ｗ）以上の状態を所定時間Ｔ６（この時
間はブレーカ２２が遮断するまでの動作時間よりも若干短い時間であり、実施例では１０
秒に設定）継続したことが制御部１２によって判定されたとき、表示部１９のＬＥＤが点
灯すると共に、制御部１２によって第１電流遮断器（リレー）２３Ａのコイル２３Ａ１の
通電が切れてその接点２３Ａ２がＯＦＦし（開く）、差し込み口１０Ａの電力ラインをＯ
ＦＦし（開く）て、湯沸かし器１１Ａへの電力供給を遮断する。これによって、ブレーカ
２２を流れる電流が低下して遮断することが避けられ、電源コンセント１０Ｂに接続され
た炊飯器１１Ｂの電力供給が遮断することなく継続する。この状態では、蒸気排出ファン
９は運転を継続しており、インジケータ２０の複数のＬＥＤが所定の第２発光状態（例え
ば１秒間隔での点滅状態か、更に長い時間間隔での緩やかな点滅状態）となる。
【００２０】
次に、収納部（収納室）３内の右側に湯沸かし器１１Ａを収納して、電源コンセント１
０Ｂに湯沸かし器１１Ａが接続され、収納部（収納室）３内の左側に炊飯器１１Ｂを収納
して、電源コンセント１０Ａに湯沸かし器１１Ａよりも電力消費の大きい炊飯器１１Ｂが
接続されている場合において、同時に湯沸かし器１１Ａの沸き上げと炊飯器１１Ｂの炊き
上げが開始されたとき、電流検知器２４Ａ、２４Ｂの検知に基づき、判別手段（判別回路
）１２Ａによって電源コンセント１０Ｂに炊飯器１１Ｂが接続されていることが判別され
ている。このため、上記同様に、電流検知器２４Ａ、２４Ｂにて検出した電流（または電
圧）に基づき算出した電力が、所定の上限値（実施例では１４８０Ｗ）以上の状態を所定
時間Ｔ６（この時間はブレーカ２２が遮断するまでの動作時間よりも若干短い時間であり
、実施例では１０秒に設定）継続したことが制御部１２によって判定されたとき、表示部
１９のＬＥＤが点灯すると共に、制御部１２によって第２電流遮断器（リレー）２３Ｂの
コイル２３Ｂ１の通電が切れてその接点２３Ｂ２がＯＦＦし（開く）、差し込み口１０Ｂ
の電力ラインをＯＦＦし（開く）て、湯沸かし器１１Ａへの電力供給を遮断する。これに
よって、ブレーカ２２を流れる電流が低下して遮断することが避けられ、電源コンセント
１０Ａに接続された炊飯器１１Ｂの電力供給が遮断することなく継続する。この状態では
、蒸気排出ファン９は運転を継続しており、インジケータ２０の複数のＬＥＤが所定の第
２発光状態（例えば１秒間隔での点滅状態か、更に長い時間間隔での緩やかな点滅状態）
となる。
【００２１】
このように、収納部（収納室）３内の左右いずれの位置にも炊飯器１１Ｂと湯沸かし器
１１Ａを収納可能とし、且ついずれのコンセント１０Ａ、１０Ｂに炊飯器１１Ｂと湯沸か
し器１１Ａを接続してもよいようにするために、いずれのコンセント１０Ａ、１０Ｂに炊
飯器１１Ｂと湯沸かし器１１Ａが接続されているかを判別手段（判別回路）１２Ａによっ
て判別している。そしてこの判別に基づき、炊飯器１１Ｂと湯沸かし器１１Ａが同時使用
された場合、炊飯器１１Ｂでの炊き上げ途中に家庭のブレーカ２２が遮断したときは、炊
き上げ不良となるが、本発明では、ブレーカ２２が遮断する電流状態となったことを速や
かに検出して、湯沸かし器１１Ａの電源を遮断して、炊飯器１１Ｂの通電は継続すること
により、炊き上げ不良が生じないように制御することができる。
【産業上の利用可能性】
【００２２】
本発明は、上記実施例に示した構成に限定されず、種々の形態の蒸気排出装置に適用で
きるものであり、本発明の技術範囲において種々の形態を包含するものである。
【図面の簡単な説明】
【００２３】
【図１】本発明に係る蒸気排出装置の正面斜視図である。（実施例１）
【図２】本発明に係る蒸気排出装置の制御回路図である。（実施例１）
【符号の説明】
【００２４】
１・・・・・蒸気排出装置
２・・・・・蒸気排出装置の機体
３・・・・・収納部（収納室）
４・・・・・化粧パネル
５・・・・・壁（図では天井壁面）
６・・・・・蒸気吸い込み口
７・・・・・蒸気排出口
８・・・・・排気通路
９・・・・・蒸気排出ファン
１０・・・・電源コンセント
１０Ａ・・・第１電源コンセント（差し込み口）
１０Ｂ・・・第２電源コンセント（差し込み口）
１１Ａ・・・湯沸かし器
１１Ｂ・・・炊飯器
１２・・・・制御部
１２Ａ・・・判別手段（判別回路）
１３・・・・操作パネル
１４・・・・電源の入／切（ＯＮ／ＯＦＦ）スイッチ部
１５・・・・動作モード選択スイッチ部
１６・・・・自動標準モードの表示部
１７・・・・自動長時間モードの表示部
１８・・・・手動モードの表示部
１９・・・・優先動作モードの表示部
２０・・・・インジケータ
２１・・・・家屋用電源
２２・・・・ブレーカ
２３Ａ・・・第１電流遮断器（リレー）
２３Ｂ・・・第２電流遮断器（リレー）
２４Ａ・・・第１電流検知器
２４Ｂ・・・第２電流検知器
２５Ａ・・・コンセント
２５Ｂ・・・電源プラグ
【図１】
2009077933.tif 000003
【図２】
2009077933.tif 000004